(57)【特許請求の範囲】
【請求項１】
壁面に沿って設置される棚柱体に取り付けられて前方に突き出す棚受け体によって左右をそれぞれ支持される棚板を含んで構成される棚装置に用いられるバックガードであって、
上側プレート部と下側プレート部とを有し、この両者を上側プレート部の下部背面と下側プレート部の上部前面とにおいて一体化させた形態を持ち、
下側プレート部における上側プレート部の下端下にある部分が前記壁面と前記棚板の後端との間に差し込まれる差し込み部となり、
上側プレート部の下端が前記棚板の上面への当接部となり、
且つ上側プレート部における下側プレート部の上端上にある部分が把持部となるようにしてあることを特徴とする棚装置用バックガード。
【発明の詳細な説明】
【技術分野】
【０００１】
この発明は、棚装置に利用されるバックガードに関する。
【背景技術】
【０００２】
壁面に沿って設置される棚柱体と、この棚柱体に取り付けられる棚受け体と、この棚受け体に左右をそれぞれ支持される棚板とからなる棚装置がある。かかる棚装置は、居室の壁面や各種の什器内の壁面を利用して、かかる居室内や什器内に棚を形成させるものである。棚柱体を複数本壁面に並設させれば複数段の棚板組を複数列形成させることができる。しかるに、このような棚装置は、その構造上、棚柱体の前後寸法分の隙間を前記壁面と棚板の後端との間に形成させてしまうと共に、棚板への載置物を前記壁面に接しさせてしまうものである。
【発明の概要】
【発明が解決しようとする課題】
【０００３】
この発明が解決しようとする主たる問題点は、この主の棚装置において棚板と壁面との間に形成される隙間に容易且つ見栄え良く装着することができ、しかも、構造的にも簡素なバックガードを提供する点にある。
【課題を解決するための手段】
【０００４】
前記目的を達成するために、この発明にあっては、棚装置用バックガードを、壁面に沿って設置される棚柱体に取り付けられて前方に突き出す棚受け体によって左右をそれぞれ支持される棚板を含んで構成される棚装置に用いられるバックガードであって、
上側プレート部と下側プレート部とを有し、この両者を上側プレート部の下部背面と下側プレート部の上部前面とにおいて一体化させた形態を持ち、
下側プレート部における上側プレート部の下端下にある部分が前記壁面と前記棚板の後端との間に差し込まれる差し込み部となり、
上側プレート部の下端が前記棚板の上面への当接部となり、
且つ上側プレート部における下側プレート部の上端上にある部分が把持部となるようにしてあるものとした。
【０００５】
前記差し込み部は前記壁面と前記棚板の後端との間に、前記当接部が棚板の上面に当たる位置まで上方から差し込むことができ、この差し込みにより前記壁面と前記棚板の後端との間を左右方向に亘って見た目良くバックガードによって塞ぐことができる。このように設置されたバックガードの差し込み部は前記把持部を把持して持ち上げることで前記壁面と前記棚板の後端との間から容易に抜き出すことができ、棚装置が可動棚である場合にはこれを構成する棚板の設置位置の変更にあたりバックガードが支障となることもない。
【発明の効果】
【０００６】
この発明にかかるバックガードは、棚装置において棚板と壁面との間に形成される隙間に容易且つ見栄え良く装着することができ、その取り外しも容易であり、また、構造的にも極めて簡素である。
【図面の簡単な説明】
【０００７】
【図１】図１は実施の形態にかかるバックガードと、これが利用される棚装置の構成部品とを、分離状態で示した斜視図である。
【図２】図２は前記バックガードを棚装置に組み合わせる直前の状態を示した斜視図である。
【図３】図３は前記バックガードを棚装置に組み合わせる直前の状態を示した縦断面図である。
【図４】図４は前記バックガードを棚装置に組み合わせた状態を示した斜視図である。
【図５】図５は前記バックガードを棚装置に組み合わせた状態を示した正面図である。
【図６】図６は前記バックガードを棚装置に組み合わせた状態を示した縦断面図である。
【図７】図７は前記バックガードを棚装置に組み合わせた状態において、さらに、棚板の左右方向中程の位置を固定具を介してこれを構成する下側プレート体に止着させた態様を示した斜視図である。
【図８】図８は図７の態様の縦断面図である。
【図９】図９は前記バックガードを構成する上側プレート体の耳部の寸法の変更例を示した正面図である。
【図１０】図１０は前記バックガードを構成する上側プレート体の耳部の寸法の他の変更例を示した正面図である。
【発明を実施するための形態】
【０００８】
以下、図１〜図１０に基づいて、この発明の典型的な実施の形態について、説明する。この実施の形態にかかるバックガード６は、壁面Ｗに沿って縦向きに設置される棚柱体１に取り付けられて前方に突き出す棚受け体２によって左右をそれぞれ支持される棚板３を含んで構成される棚装置に利用されるものである。かかる棚装置は、典型的には、建物の居室の壁、クローゼット内の壁、下駄箱などの各種の什器内などに設置して用いられる。
【０００９】
図示の例では、かかる棚装置を構成する棚柱体１は、幅方向の断面をその長さ方向に亘るいずれの位置においても、略コ字状とするチャンネル材によって構成されている。すなわち、棚柱体１は、前面部１ａと左右側面部１ｂ、１ｂとを有し、この側面部１ｂの後端を壁面Ｗに接しさせた状態で、この壁面Ｗに沿って設置されるようになっている。図示の例では、かかる棚柱体１は、ネジや釘を利用して壁面Ｗに取り付けられるようになっている。図示の例では、かかる棚柱体１の前面部１ａには、上下方向に長い長穴状をなすスリット１ｃが複数形成されている。図示の例では、かかる前面部の左右にそれぞれ、仮想の垂直線に沿って複数のスリット１ｃ…１ｃが隣り合うスリット１ｃとの間に間隔を開けて設けられている。
【００１０】
また、図示の例では、棚受け体２は、前後方向に長い板状をなすと共に、板面を上下方向に沿わせるようにして前記棚柱体１にその後端をもって取り外し可能に取り付けられるようになっている。かかる棚受け体２の後端には、三箇所の鈎部２ａが上下方向に隣り合う鈎部２ａとの間に間隔を開けて形成されており、前記棚柱体１のスリット１ｃにかかる鈎部２ａを前方から差し込み引っ掛けることで、かかる棚受け体２は棚柱体１の任意の位置に取り外し可能に取り付けることができるようになっている。すなわち、図示の例では、棚装置は、棚板３の設置位置を棚受け体２の取り付け位置の変更により変更可能な、いわゆる可動棚装置となっている。図示の例では、かかる棚受け体２の前端と後端との間には複数の貫通穴２ｂが前後方向に隣り合う貫通穴２ｂとの間に間隔を開けて形成されている。図示の例では、上部に棚板３の下面にネジつけられるネジの通し孔５ａを有すると共に、側部に前記貫通穴２ｂに挿入掛合される掛合部５ｂを備えた受け部材５によって、左右の棚受け体２、２間に一枚の棚板３が支持されるようになっている。
【００１１】
また、図示の例では、棚板３は、平面視の状態において左右方向に長い長方形の板状をなし、前記棚受け体２を介してその左端と右端とをそれぞれ棚柱体１に支持されるようになっている。
【００１２】
この実施の形態にかかるバックガード６は、かかる棚板３の後端３ａと壁面Ｗとの間に取り外し可能に介装されて、かかる棚板３への載置物の壁面Ｗへの接触及び棚板３の後端３ａと壁面Ｗとの間からの載置物の落下を阻止する。
【００１３】
かかるバックガード６は、上側プレート部６０と下側プレート部６１とを有し、この両者を上側プレート部６０の下部背面６０ａと下側プレート部６１の上部前面６１ａとにおいて一体化させた形態を持っている。図示の例では、両プレート部６０、６１はそれぞれ、長さと幅と厚さを有し、バックガード６の設置状態においてその長さ方向を左右方向に沿わせ、そのプレート面を上下方向に沿わせ、かつ、その厚さ方向を前後方向に沿わせるようになっている。
【００１４】
図示の例では、上側プレート部６０と下側プレート部６１とを別体の板材として用意すると共に、上側プレート部６０の下部背面６０ａと下側プレート部６１の上部前面６１ａとが接し、下側プレート部６１の上端６１ｂが上側プレート部６０の上端６０ｂより下方で且つ上側プレート部６０の下端６０ｃより上方に位置し、さらに、上側プレート部６０の左端６０ｄが下側プレート部６１の左端６１ｃの外方に位置すると共に、上側プレート部６０の右端６０ｅが下側プレート部６１の右端６１ｄの外方に位置するようにして、両者を固着することで、バックガード６を構成させている。かかる固着は、典型的には、両プレート部６０、６１を互いに重なり合う箇所において、ネジ、くぎ、針などにおいて止着することにより、あるいは、接着させることにより、なされる。図示の例では、両プレート部６０、６１はタッカーにより撃ち出される針Ｊにより止着されている。
【００１５】
図示の例では、上側プレート部６０の左右寸法は、前記棚板３の左右寸法と略等しくなっていると共に、下側プレート部６１の左右寸法は、左右の棚受け体２間の距離と略等しくなっている。これにより、上側プレート部６０の左右にはそれぞれ、下側プレート部６１の側端より外方に位置される耳部６０ｆが形成されている。
【００１６】
典型的には、上側プレート部６０及び下側プレート部６１は、パーティクルボードやＭＤＦなどの木質板の表面を化粧シートなどにより化粧することで構成され、典型的には、かかる化粧は前記棚板３と同一又は統一性のあるものとされる。かかるバックガード６は、合成樹脂などによる成形品として構成しても良く、この場合には上側プレート部６０と下側プレート部６１とは当初から一体のものとなる。
【００１７】
そして、この実施の形態にかかるバックガード６にあっては、前記下側プレート部６１における上側プレート部６０の下端６０ｃ下にある部分は前記壁面Ｗと前記棚板３の後端３ａとの間に差し込まれる差し込み部６２となり、前記上側プレート部６０の下端６０ｃが前記棚板３の上面への当接部６３となり、さらに、上側プレート部６０における下側プレート部６１の上端６１ｂ上にある部分が把持部６４となるようにしてある。
【００１８】
図示の例では、下側プレート部６１の厚さは前記壁面Ｗと前記棚板３の後端３ａとの距離、すなわち、前記棚柱体１の側面部１ｂの前後寸法と略等しくなっている。また、上側プレート部６０の厚さは下側プレート部６１の厚さと略等しくなっている。したがって、差し込み部６２は前記壁面Ｗと前記棚板３の後端３ａとの間に、前記当接部６３が棚板３の上面に当たる位置まで上方から差し込むことができ、この差し込みにより下側プレート部６１の前面は棚板３の後端３ａに接し且つ下側プレートの背面は壁面Ｗに接し、前記壁面Ｗと前記棚板３の後端３ａとの間を左右方向に亘って見た目良くバックガード６によって塞ぐことができる。このように設置されたバックガード６の差し込み部６２は前記把持部６４を把持して持ち上げることで前記壁面Ｗと前記棚板３の後端３ａとの間から容易に抜き出すことができ、棚板３の設置位置の変更にあたりバックガード６が支障となることはない。
【００１９】
前記上側プレート部６０の左右寸法は、バックガード６の使用される場所によって、異ならせておいても良い。すなわち、上側プレート部６０の前記耳部６０ｆの突きだし寸法は、上側プレート部６０の左右においてそれぞれ前記棚柱体１の左右寸法と略等しくなるようにしても、（図５）上側プレート部６０の左右においてそれぞれ前記棚柱体１の左右寸法の略半分となるようにしても、（図１０）上側プレート部６０の左右いずれか一方において前記棚柱体１の左右寸法の略半分となるようにすると共に、他方において前記棚柱体１の左右寸法と略等しくなるようにしても良い。（図９）上側プレート部６０の前記耳部６０ｆのかかる突きだし寸法を、前記棚柱体１の左右寸法の略半分とした場合、同じ高さレベルに備えられる隣り合うバックガード６の耳部６０ｆ同士は棚柱体１の前面部１ａの前方において突き合わされる。
【００２０】
以上に説明したバックガード６と棚板３とは、図７及び図８に示されるように、かかる棚板３の左右寸法が大きい場合などには、棚板３の左端と右端との間において、棚板３の下面にネジ止めなどされ且つ下側プレート体にネジ止めなどされる固定具７を用いて一体化させることもでき、この実施の形態にかかるバックガード６によればこのような固定具７を利用する場合に壁面Ｗに対し前記ネジなどを打ち込まなくてもかかる固定具７により棚板３の中央部を支持できる利点を有している。
【符号の説明】
【００２１】
Ｗ  壁面
１  棚柱体
２  棚受け体
３  棚板
６  バックガード
６０  上側プレート部
６０ａ  下部背面
６０ｃ  下端
６１  下側プレート部
６１ａ  上部前面
６１ｂ  上端
６２  差し込み部
６３  当接部
６４  把持部
【図１】
0005917128.tif 000002
【図２】
0005917128.tif 000003
【図３】
0005917128.tif 000004
【図４】
0005917128.tif 000005
【図５】
0005917128.tif 000006
【図６】
0005917128.tif 000007
【図７】
0005917128.tif 000008
【図８】
0005917128.tif 000009
【図９】
0005917128.tif 000010
【図１０】
0005917128.tif 000011